(57)【要約】【課題】メカシャーシの偏振に適した効果的な減衰性能を発揮できること、および、効果的な減衰性能を発揮しつつもメカシャーシを内蔵するディスクドライブ装置全体をできるだけ小型にできること、とを可能とするメカシャーシの制振装置の提供。【解決手段】メカシャーシ３の外側にバイモルフ型圧電素子８ａ，８ｂ，９ａ，９ｂを設ける。例えば、偏重心ディスクＭの回転によってメカシャーシ３が振れ方向ｘの図中右向きに偏振した場合には、メカシャーシ３を押し返すようにバイモルフ型圧電素子９ｂを歪ませる通電制御を行う。一方、振れ方向ｘの図中左向きに偏振した場合には、メカシャーシ３を押し返すようにバイモルフ型圧電素子９ａを歪ませる通電制御を行う。これによってメカシャーシ３が制振される。【選択図】    図１
2004185738.tif 000002
【特許請求の範囲】
【請求項１】
回転駆動されるディスク状記録媒体の再生を非接触方式で行う再生機構を備えるメカシャーシの制振装置において、
ディスク状記録媒体の回転によって偏振するメカシャーシの振れ方向と逆方向へ歪んでメカシャーシと押接する屈曲変位型圧電素子からなる制振アクチュエータを備えることを特徴とするメカシャーシの制振装置。
【請求項２】
偏振するメカシャーシの振れ荷重の大きさを検知する振動検知手段と、検知された振れ荷重の大きさに相応する歪み変形による押接力を屈曲変位型圧電素子に発生させる圧電制御手段と、を備える請求項１記載の制振装置。
【請求項３】
振動検知手段が、メカシャーシの面方向に沿って揺動し歪み変形可能として片持ち梁状に取付けた屈曲変位型圧電素子である請求項２記載の制振装置。
【請求項４】
振動検知手段である屈曲変位型圧電素子の固有振動数とディスク状記録媒体の回転周波数とを一致させた請求項３記載の制振装置。
【請求項５】
偏振するメカシャーシの振幅長手方向に沿う線を挟んだ対称位置に、該線がわの端部をメカシャーシに固定しつつ振動検知手段をなす屈曲変位型圧電素子を取付けた請求項３または請求項４記載の制振装置。
【請求項６】
メカシャーシが矩形状であり、ディスク状記録媒体の回転軸を通過するメカシャーシの長手方向に沿う線を挟んだ対称位置に該線がわの端部をメカシャーシに固定しつつ振動検知手段をなす屈曲変位型圧電素子を取付けた請求項３〜請求項５何れか１項記載の制振装置。
【請求項７】
振動検知手段をなす屈曲変位型圧電素子と制振アクチュエータをなす屈曲変位型圧電素子とを電気的に接続し、前者の屈曲変位型圧電素子の歪み変形により生じた電気エネルギーを、後者の屈曲変位型圧電素子に供給するようにした請求項３〜請求項６何れか１項記載の制振装置。
【請求項８】
制振アクチュエータをなす屈曲変位型圧電素子の両面を狭持する係合片をメカシャーシに設けた請求項１〜請求項７何れか１項記載の制振装置。
【請求項９】
係合片をゴム状弾性体で形成した請求項８記載の制振装置。
【請求項１０】
屈曲変位型圧電素子がバイモルフ型圧電素子である請求項１〜請求項９何れか１項記載の制振装置。
【発明の詳細な説明】
【０００１】
【発明の属する技術分野】
この発明は、ＣＤ、ＣＤ−ＲＯＭ、ＤＶＤなどディスク状記録媒体の再生を光学式などの非接触方式で行う再生機構を備えるメカシャーシに作用する振動を減衰する技術に関し、特に偏重心ディスクによる内乱振動を減衰させるのに好適な制振技術に関する。
【０００２】
【従来の技術】
ディスク状記録媒体に印刷したり貼着されたラベル面の重量バランスが均一で無かったり、僅かにディスク状記録媒体そのものが湾曲していることがある。こうしたいわゆる偏重心ディスクを回転させると、偏重心マスの回転に伴ってメカシャーシが偏振する。この内乱振動は再生や記録にエラーを生じる要因になり得ることから、メカシャーシの偏振を減衰させるのが通常である。この一つの方法として、ディスク状記録媒体の駆動系や再生機構を装着したメカシャーシに、ゴムダンパを介して板状の動吸振子を取付けた動吸振器を備えるものが知られている（例えば特許文献１参照。）。
【０００３】
【特許文献１】
特開２００２−９３１１５号公報（図１）
【０００４】
【発明が解決しようとする課題】
ところが、動吸振器で減衰効果を得るには動吸振子（上記文献中ではウエイト１２）の面積と厚みをとって重量を重くするのが好ましいため、効果的な減衰が得られる一方でメカシャーシ全体の重量増、更にはこれを内蔵するディスクドライブ装置全体の重量軽減を図るのが難しいという問題がある。また、通常、動吸振子は、メカシャーシに対してゴムダンパを介して取付けるため、効果的な減衰が得られる一方でメカシャーシ全体の高さが大きくなってしまうという問題も生じる。これらの問題があって、動吸振器を備えるメカシャーシは、携行性を向上させるべく薄さや軽さが求められるノート型のパーソナルコンピュータなどに搭載されるディスクドライブ装置については、必ずしも好ましい減衰機構とは言い切れない。
【０００５】
また、例えば一台のディスクドライブ装置でＤＶＤとＣＤ−ＲＯＭといった複数種類のディスク状記録媒体の互換再生が必要とされたり、再生速度の更なる高速化の要請も高い。こうした現状ではもはや単なる動吸振器による振動制御では限界があり、メカシャーシの偏振に適した可変的な振動制御ができる減衰機構がより好ましい。
【０００６】
こうした従来技術を背景になされたのが本発明で、第１の目的は、メカシャーシの偏振に適した効果的な減衰性能を発揮できる振動制御技術を提供することである。第２の目的は、そのような効果的な減衰性能を発揮しつつもメカシャーシを内蔵するディスクドライブ装置全体をできるだけ小型な構成にできる振動制御技術を提供することである。
【０００７】
【課題を解決するための手段】
この目的を達成すべく本発明は、回転駆動されるディスク状記録媒体の再生を非接触方式で行う再生機構を備えるメカシャーシの制振装置について、ディスク状記録媒体の回転によって偏振するメカシャーシの振れ方向と逆方向へ歪んでメカシャーシに押接する屈曲変位型圧電素子からなる制振アクチュエータを備えることを特徴とする。
【０００８】
本発明は、モノモルフ型圧電素子、ユニモルフ型圧電素子、バイモルフ型圧電素子といった屈曲変位型圧電素子を制振アクチュエータとして利用して振動減衰に機能させるものである。具体的には、屈曲変位型圧電素子は、ディスク状記録媒体の回転によって偏振するメカシャーシの振れ方向と逆方向へ歪んでメカシャーシと押接し、これによって偏振するメカシャーシを制振し、その振れ幅を減衰させる。したがって、メカシャーシの偏振に適した効果的な減衰性能を発揮できる。また、屈曲変位型圧電素子の歪み変形による減衰効果は、従来の動吸振器のようにそれ自体の重量の大小に依存しないため、ディスクドライブ装置全体をできるだけ小型な構成にできる。
【０００９】
制振アクチュエータをなす屈曲変位型圧電素子としては、モノモルフ型圧電素子、ユニモルフ型圧電素子、バイモルフ型圧電素子を利用できるのは前記のとおりである。しかしながら、この中でも歪み変形の応答速度が高速で、しかも歪み変形の変形量が大きいバイモルフ型圧電素子が、回転速度の高速化の傾向が著しく偏振周期の短いメカシャーシの振動減衰には特に好ましい。
【００１０】
ところで、屈曲変位型圧電素子に歪み変形を与えてメカシャーシの制振を効果的に行うについては、屈曲変位型圧電素子に加える通電量を制御して歪み変形の変形量を、偏振するメカシャーシの振れ荷重の大きさに適合させる必要がある。このため本発明では、偏振するメカシャーシの振れ荷重の大きさを検知する振動検知手段を備えるものとし、更に検知された振れ荷重の大きさに相応する歪み変形による押接力を屈曲変位型圧電素子に発生させる圧電制御手段を備えるものとした。
【００１１】
この場合、振動検知手段としては、偏振するメカシャーシに取付けた加速度センサで実現することができ、この加速度センサで検出した加速度をもとに振れ荷重の大きさを検知できる。また、圧電制御手段としては、ＣＰＵなどで実現される演算処理装置と、屈曲変位型圧電素子に電圧など電気エネルギーを供給する昇圧回路などを含む駆動回路とで実現することができる。
【００１２】
制振アクチュエータをなす屈曲変位型圧電素子に上述のごとく適切な歪み変形を与えるには、別途屈曲変位型圧電素子をメカシャーシに取付け、メカシャーシの振れ荷重をこの屈曲変位型圧電素子にも及ぼして歪み変形させて電気エネルギーを発生させれば、振動検知手段として加速度センサを利用せずに済むことに加え、後述する更なる利点が得られる。そこで本発明では振動検知手段を、メカシャーシの面方向に沿って揺動し歪み変形可能として片持ち梁状に取付けたバイモルフ型圧電素子とした。そして、この場合に本発明では、振動検知手段である屈曲変位型圧電素子の固有振動数とディスク状記録媒体の回転周波数とを一致させたものとし、ディスク状記録媒体の回転周期と屈曲変位型圧電素子の歪み変形の周期とを一致させて、メカシャーシの効果的な制振を得たものである。
【００１３】
更に、本発明では、偏振するメカシャーシの振幅長手方向に沿う線を挟んだ対称位置に、該線がわの端部をメカシャーシに固定しつつ振動検知手段をなす屈曲変位型圧電素子を取付けたものである。このため、振幅長手方向に沿う線を挟んだ両側で偏振するメカシャーシのバランスを良好に保つことができる。より具体的には、メカシャーシが矩形状である場合には、ディスク状記録媒体の回転軸を通過するメカシャーシの長手方向に沿う線を挟んだ対称位置に該線がわの端部をメカシャーシに固定しつつ屈曲変位型圧電素子を取付けたものとすればよい。
【００１４】
上記のように、振動検知手段として屈曲変位型圧電素子を利用する場合には、この屈曲変位型圧電素子を圧電制御手段としても利用すれば、圧電アクチュエータをなすバイモルフ型圧電素子等の屈曲変位型圧電素子に対する制御構成を簡略化できる。このため本発明では、振動検知手段をなす屈曲変位型圧電素子と制振アクチュエータをなす屈曲変位型圧電素子とを電気的に接続し、前者の屈曲変位型圧電素子の歪み変形により生じた電気エネルギーを、後者の屈曲変位型圧電素子に供給するようにした。
【００１５】
そして更に、振動検知手段をなす屈曲変位型圧電素子と制振アクチュエータをなす屈曲変位型圧電素子とを配線で直結すれば、振動検知手段をなす屈曲変位型圧電素子の歪み変形により生じた電気エネルギーが、そのまま制振アクチュエータをなす屈曲変位型圧電素子に与えられるので、両素子の歪み変形の変形量を略一致させることが可能で、現に偏振するメカシャーシの振れ荷重に相応する効果的な制振を行うことができる。しかも、この場合には、圧電アクチュエータをなす屈曲変位型圧電素子に対して電気エネルギーを外部から供給する必要が無くなるため、ディスクドライブ装置の省電力化にも寄与することができる。
【００１６】
そして、振動検知手段をなす屈曲変位型圧電素子としても、前述したモノモルフ型圧電素子、ユニモルフ型圧電素子、バイモルフ型圧電素子を利用できるが、この中でも、僅かな歪み変形で大きな起電力を発生し、制振アクチュエータをなす屈曲変位型圧電素子を歪み変形させることのできるバイモルフ型圧電素子が特に好適である。一つの素子で大きな起電力を発生できるバイモルフ型圧電素子であれば、備え付ける数量を少なくできるため、ディスクドライブ装置の小型化の要請にも応えることができる。
【００１７】
通常、メカシャーシは矩形状（長方形状）であり、その偏振はチャッキングしたディスク状記録媒体の上下面と平行な水平方向の全方向に作用する。このためメカシャーシの長手方向における両側から、また短手方向における両側からメカシャーシを制振できるように、長手方向と短手方向のそれぞれに２つの制振アクチュエータをなす屈曲変位型圧電素子を備えるのが好ましいが、本発明では制振アクチュエータをなす屈曲変位型圧電素子の両面を狭持する係合片をメカシャーシに設けるようにしている。したがって、長手方向と短手方向のそれぞれについて１つの制振アクチュエータをなす屈曲変位型圧電素子を備えるようにすれば、各方向の両側からメカシャーシを制振することが可能で、部品点数を減らすことができる。また、その係合片をゴム状弾性体で形成すれば、係合片と屈曲変位型圧電素子とのビビリによる異音の発生を防ぐことができる。
【００１８】
【発明の実施の形態】
以下、本発明によるメカシャーシ制振装置の一実施形態について図面を参照しつつ説明する。
【００１９】
本実施形態のディスクドライブ装置１は、図１および図２で示すように筐体２にメカシャーシ３を内蔵しており、メカシャーシ３にはＣＤ、ＣＤ−ＲＯＭ、ＤＶＤなどのディスク状記録媒体Ｍを駆動するスピンドルモータ４や記録データを読取るピックアップ５などが搭載されている。メカシャーシ３は、図１で示すように、平面視で長方形状（矩形状）をなしており、その四隅には円筒形状のゴムダンパ６が取付けられており、ゴムダンパ６はマウントネジ７によって筐体２に固定されている。
【００２０】
メカシャーシ３の長手方向ｘに沿う長手縁３ａと短手方向ｙに沿う短手縁３ｂの外側には、筐体２との間に「制振アクチュエータ」をなす「屈曲変位型圧電素子」としてのバイモルフ型圧電素子８ａ，８ｂ，９ａ，９ｂが取付けられている。バイモルフ型圧電素子８ａ，８ｂ，９ａ，９ｂは、全体を筐体２の内底面２ａから浮かせた状態で、それぞれその両端部において支持片１０に対して固着しており、この支持片１０を介して筐体２の内底面２ａに固定されている。したがって、本実施形態のバイモルフ型圧電素子８ａ，８ｂ，９ａ，９ｂは、メカシャーシ３と高さが重なり合うように取付けてあり、メカシャーシ３の上下に突出していないため、ディスクドライブ装置１を薄型化できるようになっている。１１，１２は、バイモルフ型圧電素子８ａ，８ｂ，９ａ，９ｂに突き当てるようにメカシャーシ３に固定した押接受け片であり、バイモルフ型圧電素子８ａ，８ｂ，９ａ，９ｂがメカシャーシ３の長手縁３ａ、短手縁３ｂに向けて歪み変形した際に、その押圧力をメカシャーシ３に伝達するものである。この押接受け片１１，１２は、歪み変形による押圧力を減衰無くメカシャーシ３に伝達するのに必要な硬さを持つ、例えばポリアセタール、ポリフェニレンスチレンなどの合成樹脂で形成されている。
【００２１】
一方、メカシャーシ３の裏面３ｃには、本実施形態では「振動検知手段」「圧電制御手段」をなす「屈曲変位型圧電素子」として機能するバイモルフ型圧電素子１３ａ，１３ｂ，１４が取付けてある。このうちバイモルフ型圧電素子１３ａ，１３ｂは、スピンドルモータ４の回転軸を通り、メカシャーシ３の長手方向に沿う線Ｌ１を挟んだ両側に、該線Ｌ１に対して傾角θ１，θ２を４５度として対称に取付けられている。なお、この線Ｌ１はメカシャーシ３の振幅長手方向と一致している。また、バイモルフ型圧電素子１３ａ，１３ｂは、全体を筐体２の内底面２ａから浮かせた状態で、その線Ｌ１に近い各端部において支持片１０に対して固着されており、支持片１０を介して筐体２の内底面２ａに固定されている。これに対して、バイモルフ型圧電素子１４は、メカシャーシ３の長手方向に沿う線Ｌ１に沿って取付けてある。具体的には、その一方側の端部が支持片１０に対して固着してあり、支持片１０を介して筐体２の内底面２ａに固定されている。したがって、バイモルフ型圧電素子１３ａ，１３ｂ，１４は、いずれも筐体２に対して片持ち梁状に取付けられている。
【００２２】
以上の「制振アクチュエータ」をなすバイモルフ型圧電素子８（８ａ，８ｂ），９（９ａ，９ｂ）と、「振動検知手段」「圧電制御手段」をなすバイモルフ型圧電素子１３（１３ａ，１３ｂ），１４は、いずれも同一の素子構造とされている。すなわち、図３（ａ）で示すように、例えばリン青銅の板材でなる矩形状の中間電極１５の両面に、例えばチタン酸ジルコン酸鉛（ＰＺＴ）の板材でなる圧電板１６を接着した積層構造とされており、その一方側端部には、双方の圧電板１６どうしを電気的に接続する例えばアルミなどで成膜した導電部１７が形成されている。もちろん導電部１７と中間電極１５とは絶縁膜１８で電気的に絶縁されている。また、何れかの圧電板１６には、例えばペースト塗布やスパッタリング等で形成した銀の薄膜でなる電極が形成されている（図示略）。なお同図に示す矢印は分極方向を示している。
【００２３】
したがって、バイモルフ型圧電素子８，９，１３，１４は、中間電極１５にプラスの電荷が、圧電板１６にマイナスの電荷が存在する状態では、図３（ｂ）のように歪み変形する。逆に、中間電極１５にマイナスの電荷が、圧電板１６にプラスの電荷が存在する状態では、図３（ｃ）で示すように歪み変形する。そして、このような歪み変形は、外部から中間電極１５と圧電板１６に電圧を加えることで得ることができる。また、このような歪み変形がなされると、中間電極１５と圧電板１６には歪み変形の形態に応じてプラスとマイナスの電荷が発生することになる。
【００２４】
なお、「制振アクチュエータ」をなすバイモルフ型圧電素子８，９と、「振動検知手段」「圧電制御手段」をなすバイモルフ型圧電素子１３，１４は同じ素子構造であるが、板面方向に沿う長さを異ならせてある。すなわち、バイモルフ型圧電素子１３，１４はバイモルフ型圧電素子８，９よりも大きくしてあり、大きな電気エネルギーを供給できるようにして、確実にバイモルフ型圧電素子８，９を歪み変形できるようにされている。
【００２５】
そして、本実施形態において「制振アクチュエータ」をなすバイモルフ型圧電素子９と「振動検知手段」「圧電制御手段」をなすバイモルフ型圧電素子１３は、図４で示すように、配線を介して電気的に直接接続されている。すなわちバイモルフ型圧電素子９ａ，９ｂ，１３ａ，１３ｂは、それぞれの中間電極１５どうしが直接接続されており、また圧電板１６どうしが直接接続されている。また、「制振アクチュエータ」をなすバイモルフ型圧電素子８と「振動検知手段」「圧電制御手段」をなすバイモルフ型圧電素子１４は、図５で示すように、配線を介して電気的に直接接続されている。すなわちバイモルフ型圧電素子８ａ，８ｂ，１４は、それぞれの中間電極１５どうしが直接接続されており、また圧電板１６どうしが直接接続されている。したがって、「振動検知手段」「圧電制御手段」をなすバイモルフ型圧電素子１３ａ，１３ｂ，１４が、例えば図３（ｂ）のように歪み変形すると、中間電極１５に生じたプラスの電荷と圧電板１６に生じたマイナスの電荷は、それぞれ「制振アクチュエータ」をなすバイモルフ型圧電素子９ａ，９ｂ，８ａ，８ｂの中間電極１５と圧電板１６に供給され、図３（ｂ）と同様に歪み変形することになる。
【００２６】
次に、バイモルフ型圧電素子９とバイモルフ型圧電素子１３により、メカシャーシ３を長手方向ｘで制振する作用を説明する。まず図６（ａ）では、ディスク状記録媒体Ｍが回転していない状態を示している。なお、１７は偏重心ディスクであるディスク状記録媒体Ｍの偏重心マスの位置を示しており、１８は偏重心マス１７の回転軌跡を示している。この状態からディスク状記録媒体Ｍを回転させて、偏重心マス１７が図６（ｂ）の位置に来ると、メカシャーシ３の長手方向ｘにおいては振れ荷重Ｆ１が作用して、その方向にメカシャーシ３が振れる。すると、バイモルフ型圧電素子１３ａ，１３ｂが振れ荷重Ｆ１により歪み変形して、これにより発生した電気エネルギーがバイモルフ型圧電素子９ｂに供給される。したがって、バイモルフ型圧電素子９ｂはバイモルフ型圧電素子１３ａ，１３ｂと同様に歪み変形して、押接受け片１２に対する押圧力Ｆ２を発生する。そして、この押圧力Ｆ２によってメカシャーシ３が押し戻されて、振れ荷重Ｆ１によるメカシャーシ３の偏振が制振される。
【００２７】
続けて偏重心マス１７が図７（ａ）の位置に来ると、この状態では、バイモルフ型圧電素子１３ａ，１３ｂは、図６（ａ）と同様に歪み変形が無くなる状態に戻る。そして、偏重心マス１７が図７（ｂ）の位置に来ると、メカシャーシ３の長手方向ｘにおいては振れ荷重Ｆ３が作用して、その方向にメカシャーシ３が振れる。すると、バイモルフ型圧電素子１３ａ，１３ｂが振れ荷重Ｆ３により歪み変形して、これにより発生した電気エネルギーが今度はバイモルフ型圧電素子９ａに供給される。したがって、バイモルフ型圧電素子９ａはバイモルフ型圧電素子１３ａ，１３ｂと同様に歪み変形して、押接受け片１２に対する押圧力Ｆ４を発生する。そして、この押圧力Ｆ４によってメカシャーシ３が押し返されて、振れ荷重Ｆ３によるメカシャーシ３の偏振が制振される。
【００２８】
一方、バイモルフ型圧電素子８とバイモルフ型圧電素子１４により、メカシャーシ３を短手方向ｙで制振する作用についても、長手方向ｘの場合と同じである。まず、図８では、ディスク状記録媒体Ｍが回転していない状態を示している。この状態からディスク状記録媒体Ｍを回転させて、偏重心マス１７が図９の位置に来ると、メカシャーシ３の短手方向ｙにおいては振れ荷重Ｆ５が作用して、その方向にメカシャーシ３が振れる。すると、バイモルフ型圧電素子１４が振れ荷重Ｆ５により歪み変形して、これにより発生した電気エネルギーがバイモルフ型圧電素子８ａに供給される。したがって、バイモルフ型圧電素子８ａはバイモルフ型圧電素子１４と同様に歪み変形して、押接受け片１１に対する押圧力Ｆ６を発生する。そして、この押圧力Ｆ６によってメカシャーシ３が押し戻されて、振れ荷重Ｆ５によるメカシャーシ３の偏振が制振される。
【００２９】
続けて偏重心マス１７が図１０の位置に来ると、この状態では、バイモルフ型圧電素子１４は、図８と同様に歪み変形が無くなる中立の状態に戻る。そして、偏重心マス１７が図１１の位置に来ると、メカシャーシ３の短手方向ｙにおいては振れ荷重Ｆ７が作用して、その方向にメカシャーシ３が振れる。すると、バイモルフ型圧電素子１４が振れ荷重Ｆ７により歪み変形して、これにより発生した電気エネルギーが今度はバイモルフ型圧電素子８ｂに供給される。したがって、バイモルフ型圧電素子８ｂはバイモルフ型圧電素子１４と同様に歪み変形して、押接受け片１１に対する押圧力Ｆ８を発生する。そして、この押圧力Ｆ８によってメカシャーシ３が押し返されて、振れ荷重Ｆ７によるメカシャーシ３の偏振が制振される。
【００３０】
以上のように、偏重心ディスクであるディスク状記録媒体Ｍの回転によってメカシャーシ３の長手方向ｘと短手方向ｙで生じる偏振は、バイモルフ型圧電素子１３ａ，１３ｂ，１４の歪み変形により発生した電気エネルギーによってバイモルフ型圧電素子８ａ，８ｂ，９ａ，９ｂを交互に歪み変形させてメカシャーシ３を交互に押し返すことで制振される。そして、こうしたアクティブ制振がディスク状記録媒体Ｍの回転中に繰り返し行われることで、メカシャーシ３に実際に生じている偏振に適した制振を行うことができる。
【００３１】
なお、バイモルフ型圧電素子１３ａ，１３ｂ，１４の一連の変形周期（固有振動数）は、偏重心マス１７すなわちディスク状記録媒体Ｍの回転周期（回転周波数）と略一致しているが、このようなバイモルフ型圧電素子１３ａ，１３ｂ，１４を得るには、その厚みと長さを適当に設定すればよい。そして、ディスク状記録媒体Ｍの回転周波数とバイモルフ型圧電素子１３ａ，１３ｂ，１４の固有振動数が略一致しており、片持ち梁状に支持されたバイモルフ型圧電素子１３ａ，１３ｂ，１４がメカシャーシ３に生じる振れ荷重Ｆ１，Ｆ３，Ｆ５，Ｆ７を受けて歪み変形させられる結果、バイモルフ型圧電素子１３ａ，１３ｂ，１４は、動吸振器としても振動減衰に機能する。したがって、バイモルフ型圧電素子８，９による制振に加えて、バイモルフ型圧電素子１３ａ，１３ｂ，１４の動吸振によってもメカシャーシ３の偏振は効果的に減衰される。
【００３２】
次に、以上の実施形態の変形例について説明する。
【００３３】
以上の実施形態では、「振動検知手段」や「圧電制御手段」をバイモルフ型圧電素子１３，１４で実現しているが、「振動検知手段」として加速度センサをメカシャーシ３に取付けるようにし、例えばＣＰＵなどで実現した「圧電制御手段」によって、加速度センサにより検知した振れ荷重に応じた電圧をバイモルフ型圧電素子８，９に供給するようにしてもよい。また、「制振アクチュエータ」「振動検知手段」「圧電制御手段」をなす「屈曲変位型圧電素子」としてバイモルフ型圧電素子８，９，１３，１４を利用しているが、バイモルフ型圧電素子と同様の作用・効果を発揮できれば、モノモルフ型圧電素子、ユニモルフ型圧電素子で代替してもよい。
【００３４】
以上の実施形態では、メカシャーシ３の長手方向ｘで２つのバイモルフ型圧電素子９ａ，９ｂを、また短手方向ｙで２つのバイモルフ型圧電素子８ａ，８ｂを備えるようにしているが、各方向ｘ，ｙについて一つずつとしてもよい。ただしこの場合には、例えば図１２で示すような係合溝１９ａが形成された「係合片」としての押接受け片１９を用いて、バイモルフ型圧電素子９の両板面を狭持させる。この押接受け片１９の材質としては、比較的硬くて強度のある樹脂材料、例えばエステル系やウレタン系の熱可塑性エラストマーやウレタンゴム等を利用すれば、メカシャーシ３にバイモルフ型圧電素子９の押接力をロス無く伝達でき、且つバイモルフ型圧電素子９と押接受け片１９との接触によるビビリ音の発生なども抑制できるため好ましい。そして、このような押接受け片１９によっても前述した実施形態と同様の作用・効果が得られるものである。
【００３５】
以上の実施形態では、メカシャーシ３の長手縁３ａと短手縁３ｂの外側にバイモルフ型圧電素子８，９を配置することで、メカシャーシ３と高さ方向で重なるようにしてディスクドライブ装置１を薄型化できるようにしているが、メカシャーシ３と押接できればメカシャーシ３の裏面３ｃに配置してもよい。
【００３６】
以上の実施形態では、バイモルフ型圧電素子１４を一つだけとしたが、取付けることができれば２つであってもよい。また、バイモルフ型圧電素子１３は斜めに配置してあるが、線Ｌ１に対して直交方向に配置してもよい。
【００３７】
以上の実施形態では、メカシャーシ３における偏重心マス１７の回転中心が、メカシャーシ３を支持する斜向かいのゴムダンパ６どうしを繋ぐ２本の対角線Ｌ２，Ｌ３の交差位置からずれており、その分、メカシャーシ３に作用する振れ荷重Ｆ１，Ｆ３，Ｆ５，Ｆ７も大きいものとなっているが、もちろん偏重心マス１７の回転中心がその交差位置にあり、振れ荷重が小さいメカシャーシに本実施形態を適用することもできる。
【００３８】
以上の実施形態では、メカシャーシ３の上下方向について「制振アクチュエータ」をなすバイモルフ型圧電素子や「振動検知手段」や「圧電制御手段」をなすバイモルフ型圧電素子を備えていないが、メカシャーシ３の裏面３ａに前述した実施形態と同様のバイモルフ型圧電素子を取付けることも可能である。
【００３９】
【発明の効果】
本発明によれば、メカシャーシの振れ方向とは反対の逆方向へ歪み変形してメカシャーシを押接するバイモルフ型圧電素子などの屈曲変位型圧電素子による制振と、屈曲変位型圧電素子自身の動吸振との相乗効果によって、偏重心ディスクの回転により生じるメカシャーシの偏振を、実振動に応じて効果的に減衰させることができ、また従来の動吸振器と比較して、メカシャーシを備えるディスクドライブ装置の薄型化、軽量化の要請により応えることができるものである。
【図面の簡単な説明】
【図１】一実施形態による制振装置を備えるディスクドライブ装置を模式的に示す説明図。
【図２】図１のＳＡ−ＳＡ線断面図。
【図３】一実施形態によるバイモルフ型圧電素子の断面構造を模式的に示す説明図。
【図４】図１の制振装置の結線状態を模式的に示す説明図。
【図５】図１の制振装置の結線状態を模式的に示す説明図。
【図６】図１のメカシャーシの長手方向における制振装置の作用を模式的に示す説明図。
【図７】図６に続く制振装置の作用を模式的に示す説明図。
【図８】図１のメカシャーシの短手方向における制振装置の作用を模式的に示す説明図。
【図９】図８に続く制振装置の作用を模式的に示す説明図。
【図１０】図９に続く制振装置の作用を模式的に示す説明図。
【図１１】図１０に続く制振装置の作用を模式的に示す説明図。
【図１２】バイモルフ型圧電素子とメカシャーシとの固定構造を示す部分拡大説明図。
【符号の説明】
１    ディスクドライブ装置
３    メカシャーシ
８ａ，８ｂ  バイモルフ型圧電素子（制振アクチュエータ、屈曲変位型圧電素子）
９ａ，９ｂ  バイモルフ型圧電素子（制振アクチュエータ、屈曲変位型圧電素子）
１０    支持片
１１，１２    押接受け片
１３ａ，１３ｂ  バイモルフ型圧電素子（振動検知手段、圧電制御手段、屈曲変位型圧電素子）
１４    バイモルフ型圧電素子（振動検知手段、圧電制御手段、屈曲変位型圧電素子）
１９    押接受け片（係合片）
Ｍ    ディスク状記録媒体
【図１】
2004185738.tif 000003
【図２】
2004185738.tif 000004
【図３】
2004185738.tif 000005
【図４】
2004185738.tif 000006
【図５】
2004185738.tif 000007
【図６】
2004185738.tif 000008
【図７】
2004185738.tif 000009
【図８】
2004185738.tif 000010
【図９】
2004185738.tif 000011
【図１０】
2004185738.tif 000012
【図１１】
2004185738.tif 000013
【図１２】
2004185738.tif 000014